(57)【要約】      （修正有）【課題】簡単な構造にて、簡単な操作で所望する本数のシャープペンシル用替芯を取り出しやすい、使い勝手の良いシャープペンシル用替芯ケースを提供する。【解決手段】シャープペンシル用替芯ケース１であって、ケース本体の背平面部の反対側外部の腹部２ｆと、カバー部材のスライド背面板部外面とを相対的にスライドさせることにより、ケース本体とカバー部材とが、要結合部を支点として扇状回動し、替芯取り出し口２ａを開閉可能とした。【選択図】図４
2020157539.tif 000002
【特許請求の範囲】
【請求項１】
シャープペンシル用替芯を収容する有底筒状のケース本体と、替芯取り出し口を閉口可能なカバー部材とから少なくともなり、前記ケース本体の底方向部分に、前記ケース本体と前記カバー部材とが相対的に扇状に回動可能となる要結合部を形成し、前記ケース本体は、前記ケース本体の内底部から前記替芯取り出し口までの距離が収容する前記シャープペンシル用替芯の全長より短い位置に前記替芯取り出し口を形成して、開口状態で前記シャープペンシル用替芯の端部が外露するようなし、前記カバー部材は、前記替芯取り出し口を被覆する前記カバー部材と前記ケース本体との前記要結合部との間部分に内面が平面状のスライド背面板部を有すると共に、前記ケース本体の前記スライド背面板部に対向する面にもスライド可能な背平面部を形成し、前記ケース本体の前記背平面部の反対側外部の腹部と、前記カバー部材の前記スライド背面板部外面とを相対的にスライドさせることにより、前記ケース本体と前記カバー部材とが、前記要結合部を支点として扇状回動し、前記替芯取り出し口を開閉可能としたシャープペンシル用替芯ケース。
【発明の詳細な説明】
【技術分野】
【０００１】
本発明は、シャープペンシル用替芯を収容する有底筒状のケース本体と、替芯取り出し口を閉口可能なカバー部材とから少なくともなるシャープペンシル用替芯ケースに関する。
【背景技術】
【０００２】
従来、簡単な操作にて、シャープペンシル用替芯を取り出せるシャープペンシル用替芯ケースとして、ケース本体の底方向部分に、ケース本体とカバー部材とが相対的に扇状に回動可能となる要結合部を回動支点として形成したものが知られている（特許文献１、特許文献２）。
他の簡単な操作による、シャープペンシル用替芯ケースの開放手段として、ケース本体の開口部に配置したカバー部材を横にスライドさせ、ケース本体の開口部よりシャープペンシル用替芯が外露するようにしたもの（特許文献３）や、カバー部材を扇状に回動させるもので、回動支点がガイドに沿って移動するようにして外装内の容器本体の移動操作によってカバー部材が回動して開口するようなし、カバー部材が開いた開口状態でシャープペンシル用替芯の端部が外露するようにしたもの（特許文献４）などが知られている。
【先行技術文献】
【特許文献】
【０００３】
【特許文献１】特開２００７−４５０５２号公報
【特許文献２】実用新案登録第３０９５７７７号公報
【特許文献３】特開２０１６−９４２２１号公報
【特許文献４】実開平７−１７５８４号公報
【発明の概要】
【発明が解決しようとする課題】
【０００４】
特許文献１に開示されているものは、片手でケース本体とカバー部材とが相対的に扇状に回動させる操作を行い、ケース本体に形成した溝に一定の本数のシャープペンシル用替芯を落とし込み、シャープペンシル用替芯を取り出しているが、予め決められた一定の本数が設定されるのでその時々に必要な本数を取り出すような取り出し本数の調節をすることができず、要求本数に満たない場合には、ケース本体とカバー部材とを回動させる操作を複数回繰り返す手間がかかり、又、要求本数に対して過剰な場合には、不要に余ったシャープペンシル用替芯をシャープペンシル用替芯ケースに戻す手間がかかっていた。
又、特許文献２〜特許文献４に開示されているものでは、開口状態でシャープペンシル用替芯の端部が外露するので、必要本数を調整して指で摘むことができるが、ケース本体の替芯取り出し口の近傍に摺動するカバー部材が配置されているため、カバー部材の開口動作の際にシャープペンシル用替芯に手が接触し、手が汚れたり、シャープペンシル用替芯を折損したりすることが懸念される。
特許文献２や特許文献４に開示されているもののように、カバー部材が開く動作に連動してシャープペンシル用替芯が迫り出してケース本体の替芯取り出し口からシャープペンシル用替芯を外露させるものでは、機構が複雑になると共に、カバー部材を開閉する際の動作とシャープペンシル用替芯が迫り出すタイミングを上手く合わせる必要があり、タイミングが合わないとカバー部材と迫り出すシャープペンシル用替芯が衝突して、シャープペンシル用替芯を折損させる恐れが生じ、又、各部品の寸法精度や管理に手間がかかっていた。
【０００５】
本発明は、上記の問題に鑑み、簡単な構造にて、簡単な操作で所望する本数のシャープペンシル用替芯を取り出しやすい、使い勝手の良いシャープペンシル用替芯ケースを提供することを目的とする。
【課題を解決するための手段】
【０００６】
本発明は、シャープペンシル用替芯を収容する有底筒状のケース本体と、替芯取り出し口を閉口可能なカバー部材とから少なくともなり、ケース本体の底方向部分に、ケース本体とカバー部材とが相対的に扇状に回動可能となる要結合部を形成し、ケース本体は、ケース本体の内底部から替芯取り出し口までの距離が収容するシャープペンシル用替芯の全長より短い位置に替芯取り出し口を形成して、開口状態でシャープペンシル用替芯の端部が外露するようなし、カバー部材は、替芯取り出し口を被覆するカバー部材とケース本体との要結合部との間部分に内面が平面状のスライド背面板部を有すると共に、ケース本体のスライド背面板部に対向する面にもスライド可能な背平面部を形成し、ケース本体の背平面部の反対側外部の腹部と、カバー部材のスライド背面板部外面とを相対的にスライドさせることにより、ケース本体とカバー部材とが、要結合部を支点として扇状回動し、替芯取り出し口を開閉可能としたシャープペンシル用替芯ケースを要旨とする。
【発明の効果】
【０００７】
本発明は、ケース本体の背平面部の反対側外部の腹部と、カバー部材のスライド背面板部外面とを指などで挟んで相対的にスライドさせることにより、ケース本体とカバー部材とを相対的に扇状回動させて替芯取り出し口を開閉するので、カバー部材を開閉する際の動作と替芯が迫り出すタイミングを合わせたりする必要がなく、カバー部材とシャープペンシル用替芯が衝突して、シャープペンシル用替芯を折損させる恐れがなく、又、単純な機構であるため、各部品の寸法精度や管理がしやすく、部品を安定供給することができ安価に製造できると共に、ケース本体の替芯取り出し口から離れた位置で、開閉する操作ができ、誤ってシャープペンシル用替芯に手が接触し、手が汚れたり、シャープペンシル用替芯を折損したりすることを防止できると共に、ケース本体の替芯取り出し口より、シャープペンシル用替芯が外露するので、替芯取り出し口からシャープペンシル用替芯を必要な本数取り出すことができる。
【図面の簡単な説明】
【０００８】
【図１】本実施例の正面からの分解斜視図。
【図２】図１の背面から見た分解斜視図。
【図３】図１の未使用時の正面からの斜視図。
【図４】図１の使用時（替芯取り出し口２ａを開口状態）の正面からの斜視図。
【発明を実施するための形態】
【０００９】
本発明のシャープペンシル用替芯ケースは、シャープペンシル用替芯を収容する有底筒状のケース本体と、替芯取り出し口を閉口可能なカバー部材とからなっている。ケース本体とカバー部材の形状は、両者をスライドさせて開閉操作を行う都合上、共に扁平箱型とすることが好ましいが、操作の利便性や製造の容易性などの本発明の利点を損なわない範囲で、円筒型、楕円筒型、横断面三角形箱型、横断面四角形箱型、横断面多角形箱型であっても良い。
【００１０】
ケース本体の底方向部分に、ケース本体とカバー部材とが相対的に扇状に回動するための支点となる要結合部を形成している。その要結合部は、ケース本体とカバー部材との一方に凸部を形成し他方に凸部の嵌る凹部又は孔を形成したり、両者に形成した凹部又は孔にハトメ部材をはめ込むようになすことなど、カバー部材とケース本体とを相対的に扇状に回動可能となっていれば良く、適宜なせる。
【００１１】
ケース本体は、ケース本体の内底部からの距離が収容するシャープペンシル用替芯の全長より短い位置に替芯取り出し口を形成して、開口状態でシャープペンシル用替芯の端部が外露するようなしている。その替芯取り出し口の形状は、長方形状、円形状、楕円形状、三角形状、四角形状、その他多角形状など適宜なせるので、外形と異なる形状であっても構わない。
【００１２】
カバー部材は、替芯取り出し口を被覆するカバー部とケース本体に対する要結合部との間に内面が平面状のスライド背面板部を有する。このカバー部材のスライド背面板部に対向するケース本体の面もスライド可能な背平面部として形成されている。その形状は表面が平らな面であるが、ケース本体とカバー部材とが相対的に扇状に回動可能であれば良く、例えば、両者間に隙間を形成するなどして波板状や格子状の凹凸がある平面であっても良いし、互いの形状が扇状回動軌道に沿った凹凸関係としても良い。但し、平滑面同士であるほうが製造上や作動上有利であるといえる。
【００１３】
カバー部材とケース本体の一方に突起を形成し、他方にこの突起の嵌合部を形成することによって、カバー部材が替芯取り出し口を閉じた状態を維持する機構とすることができる。また、凹凸の嵌合によらずに、対峙する摺動面の摩擦抵抗を調節して、カバー部材の回動位置を維持するようなすこともできる。
或いは、カバー部材とケース本体との間に弾発部材、ピストンやダンパーなどの部品構成を用いて、相対的な回動を制御することもできる。
【００１４】
ケース本体及びカバー部材を構成する材質は、ＡＳ樹脂（アクリロニトリルスチレン共重合体）、ＡＢＳ樹脂（アクリロニトリルブタジエンスチレン共重合体）、ＰＣ樹脂（ポリカーボネート）、ＰＳ樹脂（ポリスチレン）、ＰＰ樹脂（ポリプロピレン）、ＰＥＴ樹脂（ポリエチレンテレフタレート）など、各種合成樹脂が使用できる。
また、ケース本体とカバー部材とを同じ材質とした場合には、材料間の親和性が高く食いつきによる摺動不良が起こる場合があり、両者を異なる材料の部材としたり、両者間にシリコンオイル、グリースなどの潤滑剤を塗布するなどとすることが好ましい。更に、ケース本体は収容するシャープペンシル用替芯が見えるよう、ＡＳ樹脂などの透明性の高い樹脂で形成することが好ましい。
又、透明色、半透明色、着色しても良く、用途に応じて適宜選択可能である。その他、高級感を出す為に金属を使用することもでき、材質は特に限定されない。或いは、外観表面を光沢面やシボ面にしても良く、印刷など装飾を施しても良い。
【実施例】
【００１５】
本発明のシャープペンシル用替芯ケース１の一例を図１〜図４に示し説明する。以下では、ケース本体２の替芯取り出し口２ａ側を上方向、底部２ｂ側を底方向、正面側を正面方向、背面側を背面方向と呼称する。
【００１６】
実施例の分解斜視図である、図１と図１の背面から見た分解斜視図である図２に示すように、シャープペンシル用替芯ケース１は、シャープペンシル用替芯３を収容する扁平箱型の有底筒状のケース本体２と、替芯取り出し口２ａを閉口可能な扁平箱型のカバー部材４とからなっている。
シャープペンシル用替芯ケース１の底方向部分に、ケース本体２の要凸部２ｃを、カバー部材４の要結合孔４ａをそれぞれ形成し、要結合孔４ａに要凸部２ｃを差し込み嵌合させることでケース本体２とカバー部材４とが相対的に扇状に回動可能となる要結合部を形成している。
ケース本体２は、ケース本体２の内底部２ｄからの距離が収容するシャープペンシル用替芯３の全長より短い位置に長方形に形成された替芯取り出し口２ａを形成して、開口状態でシャープペンシル用替芯３の端部が外露するようなしている。シャープペンシル用替芯３の端部が外露する長さは適宜なせるが、指先で摘むことやケース本体２内でシャープペンシル用替芯３が斜め配置されるような場合を想定すると、収容されるシャープペンシル用替芯３の全長の５０％以上９８％以下が好ましい。また、８０％以上９７％以下が更に好ましく、シャープペンシル用替芯３の端部が外露する長さは１．８ｍｍ以上１２ｍｍ以下が好ましい。
【００１７】
ケース本体２の内底部２ｄは、ケース本体２に収容されたシャープペンシル用替芯３の端部が外露する長さを揃えるため平面状にしてあるが、シャープペンシル用替芯３を予め斜めに配置させるために斜面状であっても良い。又、上述のシャープペンシル用替芯３の端部が外露する範囲内であれば、半円状、Ｕ字状、Ｖ字状であっても良い。
【００１８】
カバー部材４は、替芯取り出し口２ａを被覆するカバー部４ｂと、ケース本体２に対する要結合部となる要結合孔４ａとの間に、内面が平面状のスライド背面板部４ｃを有している。ケース本体２の、カバー部材４のスライド背面板部４ｃに対向する面もスライド可能な背平面部２ｅとして形成している。
ケース本体２の背平面部２ｅの反対側の腹部２ｆと、カバー部材４のスライド背面板部外面４ｄとを挟んでスライドし、ケース本体２とカバー部材４とが、要凸部２ｃを支点として扇状回動し、替芯取り出し口２ａを開閉可能としている。
上述の構成とすることで、ケース本体２の替芯取り出し口２ａから離れた位置で、開閉する操作ができるので、誤ってシャープペンシル用替芯３に手が接触し、手が汚れたり、シャープペンシル用替芯３を折損したりすることを防止できると共に、ケース本体２の替芯取り出し口２ａより、シャープペンシル用替芯３が外露するので、シャープペンシル用替芯ケース１を、振る、或いは傾ける操作をせずに、シャープペンシル用替芯３を取り出す事が可能であり、机上にシャープペンシル用替芯３をばら撒いてしまうことがなく、替芯取り出し口２ａからシャープペンシル用替芯３を必要な本数取り出すことができる。
【００１９】
ケース容器本体２は、シャープペンシル用替芯３を収容するための替芯収容部を有し、その替芯収容部の上方に替芯取り出し口２ａを備え、更に、替芯取り出し口２ａの側壁２ｇから上方に向けて上方側壁２ｈが突出形成されており、カバー部４ｂを開放した場合の露出したシャープペンシル用替芯３のガイドとなっている。
また、ケース本体２の正面には、カバー部４ｂの突出部４ｅが摺動するガイド溝２ｉが設けられており、カバー部４ｂの開閉動作の際の軌道をガイドしてがたついたりすることを抑制している。又、底部２ｂ近傍部の側壁２ｇが形成された下方には、側壁２ｇが延設され、要結合部近傍に異物が混入し、動作不良しないようになしてある。
【００２０】
シャープペンシル用替芯３が残り少なくなったら、ケース本体２を上方側壁２ｈ側に傾けることにより、上方側壁２ｈをガイドとして、シャープペンシル用替芯３を取り出すことができる。或いは、芯径０．２、芯径０．３などの細く強度が弱いシャープペンシル用替芯なども同様に、ケース本体２を上方側壁２ｈ側に傾けることにより、上方側壁２ｈをガイドとして、シャープペンシル用替芯３を折損する心配がなく取り出すことができる。
【符号の説明】
【００２１】
１    シャープペンシル用替芯ケース
２    ケース本体
２ａ  替芯取り出し口
２ｂ  底部
２ｃ  要凸部
２ｄ  内底部
２ｅ  背平面部
２ｆ  腹部
２ｇ  側壁
２ｈ  上方側壁
２ｉ  ガイド溝
３    シャープペンシル用替芯
４    カバー部材
４ａ  要結合孔
４ｂ  カバー部
４ｃ  スライド背面板部
４ｄ  スライド背面板部外面
４ｅ  突出部
【図１】
2020157539.tif 000003
【図２】
2020157539.tif 000004
【図３】
2020157539.tif 000005
【図４】
2020157539.tif 000006